(57)【特許請求の範囲】
【請求項１】
表示画面を有する照明制御装置であって、
選択可能な照明制御に対応付けられた予約アイコンを前記表示画面におけるホーム画面に出力し、ユーザ入力により選択された予約アイコンに対応する照明制御の予約を誘導するための予約設定画面を開く予約誘導部と、
前記予約設定画面において、ユーザ入力に基づいて前記照明制御が実行されるまでの予約時間を決定する予約時間設定部と、
タイマを有する計時部と、
前記予約設定画面において、ユーザ入力に基づいて前記照明制御の予約実行を決定し、前記タイマによる計時を開始させる予約決定部と、
前記予約時間及び前記タイマによる計時に基づいて、前記照明制御が実行されるまでの残り時間を視認可能な時間アイコンを前記ホーム画面に出力する時間表示出力部と
を備え、
前記時間アイコンが、前記照明制御が実行されるまでの残り時間のカウントダウン表示であり、該カウントダウン表示において、前記残り時間が秒単位でカウントダウンされるように構成された、照明制御装置。
【請求項２】
表示画面を有する照明制御装置であって、
選択可能な照明制御に対応付けられた予約アイコンを前記表示画面におけるホーム画面に出力し、ユーザ入力により選択された予約アイコンに対応する照明制御の予約を誘導するための予約設定画面を開く予約誘導部と、
前記予約設定画面において、ユーザ入力に基づいて前記照明制御が実行されるべき予約時刻を決定する予約時間設定部と、
前記予約設定画面において、ユーザ入力に基づいて前記照明制御の予約実行を決定する予約決定部と、
現時刻を出力する計時部と、
前記予約時刻及び前記現時刻に基づいて、前記照明制御が実行されるまでの残り時間を視認可能な時間アイコンを前記ホーム画面に出力する時間表示出力部と
を備え、
前記時間アイコンが、前記照明制御が実行されるまでの残り時間のカウントダウン表示であり、該カウントダウン表示において、前記残り時間が秒単位でカウントダウンされるように構成された、照明制御装置。
【請求項３】
表示画面を有する照明制御装置であって、
選択可能な照明制御に対応付けられた予約アイコンを前記表示画面におけるホーム画面に出力し、ユーザ入力により選択された予約アイコンに対応する照明制御の予約を誘導するための予約設定画面を開く予約誘導部と、
前記予約設定画面において、ユーザ入力に基づいて前記照明制御が実行されるまでの予約時間を決定する予約時間設定部と、
タイマを有する計時部と、
前記予約設定画面において、ユーザ入力に基づいて前記照明制御の予約実行を決定し、前記タイマによる計時を開始させる予約決定部と、
前記予約時間及び前記タイマによる計時に基づいて、前記照明制御が実行されるまでの残り時間を視認可能な時間アイコンを前記ホーム画面に出力する時間表示出力部と
を備え、
前記予約決定部が、前記予約実行を決定するための所定ボタンを前記予約設定画面に出力し、前記所定ボタンがユーザ入力により選択されると確認画面を出力し、該確認画面においてユーザ入力により肯定選択が行われたことに応じて前記予約実行を決定するように構成され、
前記予約時間が決定される前においては、前記所定ボタンが選択不可状態となるように構成された、照明制御装置。
【請求項４】
表示画面を有する照明制御装置であって、
選択可能な照明制御に対応付けられた予約アイコンを前記表示画面におけるホーム画面に出力し、ユーザ入力により選択された予約アイコンに対応する照明制御の予約を誘導するための予約設定画面を開く予約誘導部と、
前記予約設定画面において、ユーザ入力に基づいて前記照明制御が実行されるべき予約時刻を決定する予約時間設定部と、
前記予約設定画面において、ユーザ入力に基づいて前記照明制御の予約実行を決定する予約決定部と、
現時刻を出力する計時部と、
前記予約時刻及び前記現時刻に基づいて、前記照明制御が実行されるまでの残り時間を視認可能な時間アイコンを前記ホーム画面に出力する時間表示出力部と
を備え、
前記予約決定部が、前記予約実行を決定するための所定ボタンを前記予約設定画面に出力し、前記所定ボタンがユーザ入力により選択されると確認画面を出力し、該確認画面においてユーザ入力により肯定選択が行われたことに応じて前記予約実行を決定するように構成され、
前記予約時刻が決定される前においては、前記所定ボタンが選択不可状態となるように構成された、照明制御装置。
【請求項５】
請求項１から４のいずれか一項に記載の照明制御装置であって、前記ホーム画面に照明制御の情報を制御名称として出力する制御情報出力部を更に備えた照明制御装置。
【請求項６】
請求項５に記載の照明制御装置において、複数の前記照明制御が予約される場合に、前記制御情報出力部及び前記時間表示出力部が、前記複数の照明制御に対応する前記制御名称及び前記時間アイコンの組を前記ホーム画面に出力するように構成された、照明制御装置。
【請求項７】
コンピュータを、請求項１から６のいずれか一項に記載の照明制御装置が備える各部として機能させるためのプログラム。
【請求項８】
請求項７に記載されたプログラムが記憶されたコンピュータ可読記憶媒体。
【発明の詳細な説明】
【技術分野】
【０００１】
本発明は、照明制御装置及び照明制御装置のためのプログラムに関する。
【背景技術】
【０００２】
特許文献１は、表示装置に表示されたスケジュール設定画面上でスケジュール設定手段により照明ブロック毎に照明灯の点消灯スケジュールを設定する監視制御システムを開示する。このシステムでは、建設現場の各工事区域において仮設照明箇所毎に仮設された照明灯の点消灯状態が表示装置の画面上で一括して監視され、各仮設用照明灯の点消灯のマニュアル設定、一日の点消灯スケジュールの設定・変更、及びオペレートモード設定が監視センタから行われる。
【０００３】
特許文献２は、店舗等において、特定日に繰り返し実行されるスケジュールを設定する照明制御装置を開示する。この照明制御装置は、制御対象となる照明機器に対して特定日及びその特定日に実行すべき特定スケジュールを設定する特定情報設定部と、取得した現在の日付情報が特定スケジュールを実行すべき特定日に該当するか否かを判断し、特定日に該当する場合には特定スケジュールに従って照明機器を点灯させる一方、特定日に該当しない場合には予め設定した基本スケジュールに従って照明機器を点灯する点灯制御部とを備える。
【先行技術文献】
【特許文献】
【０００４】
【特許文献１】特開平１１−１１１４７０号公報
【特許文献２】特開２０１３−２４６８９０号公報
【発明の概要】
【発明が解決しようとする課題】
【０００５】
しかし、特許文献１の建設現場又は特許文献２の店舗に代表されるように照明制御時刻が管理者側で比較的決定し易い環境のための構成を、スポーツの競技場のように試合の進行状況によって照明制御時刻が前後するような環境の構成に適用すると不都合が生じる場合がある。具体的には、建設現場、店舗等においては、日ごとの照明スケジュールが組まれ、原則としてそのスケジュールに基づいて照明制御が行われ、スケジュール変更があるとしてもその必要性及び変更時間は予見が容易である。一方、競技場においては、試合の進行状況、延長戦の有無等によって試合終了時が大きく前後する。したがって、競技場の照明においては、日ごとの照明スケジュールが設定されていたとしても、スケジュール通りに照明制御が実行できない場合が多く、その変更の必要性及び変更時間も試合終了時まで分からないという前提がある。
【０００６】
そして、例えば競技場の試合終了時の状況においては、試合終了後に観客が退場し、清掃等の整備作業が終了した一定時間後に消灯される必要がある。所望の時刻に照明制御（例えば消灯）を行うには、照明管理者が消灯時刻まで在場してマニュアル操作により消灯するか、又は照明管理者が日ごとのスケジュールを試合終了時に変更する必要がある。前者の場合、照明管理者の拘束時間が無用に長くなり、労務管理又は人件費の観点から好ましくない。また、後者の場合、既に設定されているスケジュール設定を実質的に毎日変更する必要が生じる。すなわち、消灯時刻の変更の必要がある都度、照明管理者は、日ごとのスケジュール設定を表示する画面上で複雑な操作を経て設定内容の変更作業を行わなければならず、その作業負担が大きい。さらには、設定内容の１回の変更が翌日以降の設定内容に影響を与えないような機能及びその操作が必要となり、装置の制御構成及び照明管理者の操作が複雑化してしまう。
【０００７】
そこで、本発明は、照明制御時刻を照明管理者側で決定できない環境において、照明制御の予約設定を柔軟、容易かつ直感的な態様で行うことを可能とする照明制御装置を提供することを課題とする。
【課題を解決するための手段】
【０００８】
本発明の第１の形態の照明制御装置は、選択可能な照明制御に対応付けられた予約アイコンを表示画面におけるホーム画面に出力し、ユーザ入力により選択された予約アイコンに対応する照明制御の予約を誘導するための予約設定画面を開く予約誘導部と、予約設定画面においてユーザ入力に基づいて照明制御が実行されるまでの予約時間を決定する予約時間設定部と、タイマを有する計時部と、予約設定画面においてユーザ入力に基づいて照明制御の予約実行を決定し、タイマによる計時を開始させる予約決定部と、予約時間及びタイマによる計時に基づいて、照明制御が実行されるまでの残り時間を視認可能な時間アイコンをホーム画面に出力する時間表示出力部とを備える。
【０００９】
本発明の第２の形態の照明制御装置は、選択可能な照明制御に対応付けられた予約アイコンを表示画面におけるホーム画面に出力し、ユーザ入力により選択された予約アイコンに対応する照明制御の予約を誘導するための予約設定画面を開く予約誘導部と、予約設定画面においてユーザ入力に基づいて照明制御が実行されるべき予約時刻を決定する予約時間設定部と、予約設定画面においてユーザ入力に基づいて照明制御の予約実行を決定する予約決定部と、現時刻を出力する計時部と、予約時刻及び現時刻に基づいて、照明制御が実行されるまでの残り時間を視認可能な時間アイコンをホーム画面に出力する時間表示出力部とを備える。
【００１０】
上記第１及び第２の形態の照明制御装置によると、ユーザは、照明制御の予約設定に際して、予約アイコンの選択、予約時間又は予約時刻の入力、及び予約実行の決定の操作を行うだけで予約設定を完了することができ、適宜のタイミングで柔軟かつ容易に予約設定を行うことができる。また、予約設定が完了すると、ユーザは、予約された照明制御に関する残り時間に関する時間アイコンをホーム画面上で見ることができ、予約設定の完了を容易かつ直感的に把握することができる。したがって、照明制御時刻を照明管理者側で決定できない環境において、照明制御の予約設定を柔軟、容易かつ直感的な態様で行うことを可能とする照明制御装置が実現される。
【００１１】
ここで、時間アイコンは、照明制御が実行されるまでの残り時間のカウントダウン表示であることが好ましい。これにより、ユーザは、予約設定が成功したことを直感的に認識することができる。
【００１２】
さらに、前記カウントダウン表示は、秒単位でカウントダウンされることが好ましい。これにより、ユーザは、予約設定の完了直後に予約設定の成功をより直感的に知得することができる。
【００１３】
また、ホーム画面に照明制御の情報を制御名称として出力する制御情報出力部が更に設けられてもよい。これにより、予約設定に係る照明制御の識別性が高まる。
【００１４】
さらに、複数の照明制御が実行される場合に、制御情報出力部及び時間表示出力部が、複数の照明制御に対応する制御名称及び時間アイコンの組をホーム画面に出力するように構成されるようにしてもよい。これにより、照明制御の予約状況の一覧性が向上する。
【００１５】
また、予約決定部が、予約実行を決定するための所定ボタンを予約設定画面に出力し、所定ボタンがユーザ入力により選択されると確認画面を出力し、確認画面においてユーザ入力により肯定選択が行われたことに応じて予約実行を決定するように構成されることが好ましい。このように、予約時間又は予約時刻の設定後に、所定ボタンの選択及び確認画面における肯定選択のみで予約設定が完了するので、容易かつ迅速な予約設定が可能となる。
【００１６】
さらに、予約時間又は予約時刻が決定される前においては、上記所定ボタンが選択不可状態となるように構成されることが好ましい。これにより、予約設定画面が表示された後に、ユーザは、まず予約時間又は予約時刻を設定すればよいことを把握することができ、操作の直感性が高まる。
【００１７】
また、本発明は、コンピュータを、上記照明制御装置が備える各部として機能させるための照明制御装置用のプログラムを含む。さらに、本発明は、その照明制御装置用のプログラムが記憶されたコンピュータ可読記憶媒体も含む。
【図面の簡単な説明】
【００１８】
【図１】本発明の各実施形態による照明制御装置を示すブロック図である。
【図２】各実施形態におけるホーム画面を示す図である。
【図３】各実施形態における予約設定画面を示す図である。
【図４】各実施形態における事前設定リストの一例を示す図である。
【図５】各実施形態における確認画面の一例を示す図である。
【図６Ａ】第１の実施形態における設定例を説明する図である。
【図６Ｂ】第１の実施形態における設定例を説明する図である。
【図６Ｃ】第１の実施形態における設定例を説明する図である。
【図６Ｄ】第１の実施形態における設定例を説明する図である。
【図７】各実施形態における確認画面の一例を示す図である。
【図８Ａ】第２の実施形態における設定例を説明する図である。
【図８Ｂ】第２の実施形態における設定例を説明する図である。
【図８Ｃ】第２の実施形態における設定例を説明する図である。
【図８Ｄ】第２の実施形態における設定例を説明する図である。
【図８Ｅ】第２の実施形態における設定例を説明する図である。
【図８Ｆ】第２の実施形態における設定例を説明する図である。
【図８Ｇ】第２の実施形態における設定例を説明する図である。
【発明を実施するための形態】
【００１９】
＜第１の実施形態＞
図１に、本発明の第１の実施形態による照明制御装置１のブロック図を示す。照明制御装置１は、表示部２、入力部３、処理部４、記憶部５及び通信部６を有し、相互にデータ及び信号のやりとりが可能な態様で相互接続される。照明制御装置１は、照明灯８−１〜８−ｎとともに照明制御システムを構成する。以降の説明において、照明灯８−１〜８−ｎを総称して又は一部を代表して照明灯８というものとする。照明灯８は、競技場（スタジアム、運動施設等）、体育館等の照明灯である。
【００２０】
照明制御装置１及び照明灯８は、商用電源等の適切な電源から不図示の配線を介して適宜給電されているものとする。照明制御装置１の通信部６と照明灯８とは相互にラインＬによって接続される。ラインＬは有線接続ラインであってもよいし、無線接続ラインであってもよい。ラインＬが有線通信ラインである場合、通信プロトコルとして、例えば、ＴＣＰ／ＩＰ、ＲＳ４８５等を用いることができる。また、ラインＬが無線通信ラインである場合、通信プロトコルとして、例えば、ＷｉＦｉ、ＺｉｇＢｅｅ等を用いることができる。但し、通信プロトコルはこれらに限られない。
【００２１】
本実施形態では、表示部２は、タッチパネルからなる表示画面であるものとし、ユーザ入力を受け付ける入力部３も兼ねている。ただし、表示部２は、コンピュータ（例えばパーソナルコンピュータ）のモニタ画面であってもよく、この場合には、入力部３はマウス、キーボード等の入力手段である。なお、本明細書において、ユーザとは、照明制御装置１のオペレータ（照明管理者）のことをいう。
【００２２】
処理部４は、設定管理部４０、制御情報出力部４２、予約誘導部４１、予約時間設定部４３、予約決定部４４、計時部４５、時間表示出力部４６及び照明制御実行部４７を有し、例えばＣＰＵを構成する。処理部４の上記各部は、相互にデータ及び信号のやりとりが可能な態様でバスＢによって相互接続される。また、処理部４は、通常のＣＰＵが備える機能を不図示の処理手段によって適宜実行するものとする。記憶部５は、各種プログラム及びデータを記憶するように構成されたメモリである。
【００２３】
図２及び図３に、表示部２（兼入力部３）の表示画面に表示されるホーム画面２０及び予約設定画面２１をそれぞれ示す。以下、図１〜図３を参照して、処理部４の各部の構成を説明する。
【００２４】
設定管理部４０は、照明対象となるフィールド及び照明灯８−１〜８−ｎの位置関係を、図２に示すような照明配置イメージ２００としてホーム画面２０に出力するように構成される。本例では、照明配置イメージ２００に示すように、照明対象はスタジアムにおける野球用のフィールド及び観客席であり、照明灯数ｎ＝６である。なお、各照明灯８は複数のランプを含むものとする。
【００２５】
予約誘導部４１は、選択可能な照明制御の予約設定画面２１への移行を誘導するための予約アイコン２０１ａ〜２０１ｄをホーム画面２０に出力するように構成される。以降において、予約アイコン２０１ａ〜２０１ｄを総称して又はその一部を代表して予約アイコン２０１というものとする。予約アイコン２０１は、後述する制御名称の略称、イメージ等の略記表示である。本例では、４個の予約アイコン２０１が表示されているが、予約アイコン２０１の数は１〜３又は５以上であってもよく、ユーザによって適宜設定可能である。予約アイコン２０１の領域においてユーザ選択（タッチ動作）が行われると、予約誘導部４１は、選択された予約アイコン２０１に対応する予約設定画面２１をポップアップ表示させる。
【００２６】
制御情報出力部４２は、予約アイコン２０１の選択に応じて、記憶部５に記憶された事前設定リストを参照して、ホーム画面２０の制御名称２０２ａ〜２０２ｄ並びに予約設定画面２１の予約番号領域２１０、制御名称領域２１１及び制御内容領域２１２の表示を出力するように構成される。なお、制御名称２０２ａ〜２０２ｄを総称して又はその一部を代表して制御名称２０２というものとする。この制御名称２０２によって、予約設定に係る照明制御の識別性が高まる。図４に、事前設定リストの一例を示す。事前設定リスト５０は、別途の事前設定画面において予めユーザ設定され、予約番号（予約番号領域２１０）、アイコン（予約アイコン２０１）、照明制御情報としての略称（制御名称２０２）、制御名称（制御名称領域２１１）及び制御内容（制御内容領域２１２）が対応付けられる。
【００２７】
制御情報出力部４２は、予約設定画面２１における制御名称領域２１１に、選択された予約アイコン２０１に対応する照明制御の名称を出力する。本例では、制御名称領域２１１には、野球用のフィールド及び観客席について全灯消灯を予約制御することを示す「野球  全灯消灯予約」が表示される。
【００２８】
また、制御情報出力部４２は、予約設定画面２１の制御内容領域２１２に、選択されている照明制御がパターン制御、グループ制御及び個別制御のいずれに該当するのかを示す。パターン制御とは、照明灯８の全体を全灯点灯、全灯調光、一部調光、全灯消灯又は一部消灯させるなど回路情報に制御内容「ＯＮ／ＯＦＦ／調光率」を付加する制御をいう。例えば、照明灯８−１〜８−６について、全灯１００％調光（全光）→全灯７５％調光→全灯５０％調光→全灯消灯、全灯点灯→２灯消灯（４灯点灯継続）→全灯消灯等を実行する際の各制御のことをいう。グループ制御とは、複数の照明灯８の組を点灯、調光又は消灯させる制御をいう。個別制御とは、照明灯８のうちの１灯を点灯、調光又は消灯させる制御をいう。
【００２９】
また、制御情報出力部４２は、ホーム画面２０に、制御名称２０２を出力する。制御名称２０２の内容は、制御名称領域２１１の内容と同じであってもよいし、その短縮表記であってもよい。例えば、図２及び図３に示すように、制御名称２０２ａには、制御名称領域２１１の「野球  ナイター  全点灯予約」の短縮表示である「野球  全点灯予約」が表示される。
【００３０】
予約時間設定部４３は、予約設定画面２１に、予約時間領域２１３及び時間設定ボタン２１４を出力し、選択されている照明制御が実行されるまでの時間（以下、「予約時間」という）をユーザ入力に基づいて決定するように構成される。予約時間設定部４３は、時間設定ボタン２１４がユーザ選択されると、時間入力用テンキー画面（不図示）をポップアップ表示させる。時間入力用テンキー画面において、ユーザにより予約時間が入力されると、予約時間設定部４３は、時間入力用テンキー画面を閉じ、入力された予約時間を予約時間領域２１３に出力する。なお、予約時間の入力前においては、予約時間領域２１３にはゼロ「００：００：００」、空白「−−：−−：−−」等が表示される。
【００３１】
また、時間設定ボタン２１４及び時間入力用テンキー画面を設ける代わりに、予約時間領域２１３において「時」及び「分」（さらに、必要に応じて「秒」）を入力するためのプルダウンボタンが設けられてもよく、この場合、プルダウンボタンが選択（タップ）されると数値の列挙がプルダウン表示されて数値が選択可能となる。あるいは、予約時間領域２１３において「時」及び「分」（さらに、必要に応じて「秒」）の欄自体が選択ボタンとして構成されてもよく、この場合、選択（タップ）された欄の上下方向に数値が列挙され、ユーザのフリック操作によりその数値がスクロールされて数値が選択可能となる。あるいは、予約設定画面２１の余白が比較的広い場合には、予約設定画面２１の余白に時間入力用テンキー画面が表示されるようにしてもよい。また、予約時間を固定したい場合を考慮し、予約時間保存用チェックボックス等を設け、チェックボックス等にチェックが入っている場合は、前回の予約時間が予め設定されているようにしてもよい。
【００３２】
予約決定部４４は、予約設定画面２１に、実施ボタン２１５、ＯＦＦボタン２１６、調光ボタン２１７、予約取消ボタン２１８及びホーム移行ボタン２１９を出力し、ユーザの予約設定を決定する機能を有する。本実施形態では、計時部４５は、タイマ（カウントダウンタイマ）を有する計時手段である。予約決定部４４は、ユーザ入力に基づいて照明制御の予約実行を決定（確定）し、計時部４５のタイマによる計時を開始させる。また、予約時間設定部４３又は予約決定部４４は、必要に応じて、上記ボタン２１５〜２１９の選択可能状態と選択不可状態（グレーアウト、非表示等）との切換を行う。
【００３３】
実施ボタン２１５は、選択されている照明制御が予定時間の満了時に実行されることを指定するためのボタンである。本例では、実施ボタン２１５として「実施」が表記されるが、「ＯＮ」が表記されてもよい。実施ボタン２１５が選択されると、予約決定部４４は、例えば図５に示すような「予約時間に制御を実行します。よろしいですか？」、「はい」（肯定）及び「いいえ」（否定）を記載した確認画面２２をポップアップ表示する。確認画面２２における質問文は、より具体的に「○○時間後に制御を実行します。よろしいですか？」、「予約時間に消灯します。よろしいですか？」、「○○時間後に消灯します。よろしいですか？」等であってもよい。また、後述の第２の実施形態のように予約時間が時刻で入力される場合には、上記質問文は、「○時△△分に制御を実行します。よろしいですか？」、「○時△△分に消灯します。よろしいですか？」等であってもよい。
【００３４】
確認画面２２において、ユーザが肯定、すなわち「はい」を選択すると、予約決定部４４は、予約設定を確定し、計時部４５のタイマによる計時を開始させ、確認画面２２及び予約設定画面２１を閉じる。このように、予約時間設定後に、実施ボタン２１５の選択及び確認画面２２における肯定選択のみで予約設定が完了するので、容易かつ迅速な予約設定が可能となる。なお、確認画面２２において、ユーザが否定、すなわち「いいえ」を選択すると、予約決定部４４は、実施ボタン２１５に関する操作を有効化せずに確認画面２２を閉じる。
【００３５】
ＯＦＦボタン２１６は、選択されている照明制御が上記の予定時間の満了時にＯＦＦ制御されることを指定するためのボタンである。実施ボタン２１５と同様に、ＯＦＦボタン２１６が選択された後においても、確認画面が表示され、その確認画面に対する肯定選択によってその予約設定が完了するように構成される。
【００３６】
調光ボタン２１７は、照明制御として調光が選択される場合に、ユーザに調光率を決定させるための調光率設定画面に移行するためのボタンである。調光ボタン２１７については、後述の第２の実施形態において説明する。
【００３７】
予約取消ボタン２１８は、照明制御の予約設定を取り消すためのボタンである。予約取消ボタン２１８が選択されると、予約決定部４４は、例えば「予約を取り消します。よろしいですか？」、「はい」（肯定）及び「いいえ」（否定）を記載した確認画面をポップアップ表示させる。「はい」が選択されると、予約決定部４４は、予約設定画面２１を閉じる。また、時間アイコン２０３は「００：００：００」、「−−：−−：−−」等となり、制御予約が取り消される。一方、確認画面において「いいえ」が選択されると、予約決定部４４は、予約取消ボタン２１８の操作を有効化せずに確認画面を閉じる。
【００３８】
ホーム移行ボタン２１９は、予約設定画面２１からホーム画面２０に戻るためのボタンである。ホーム移行ボタン２１９が選択されると、予約決定部４４は、それまでに確定されていない予約設定画面２１上の操作を有効化することなく、又は予約設定画面２１上での操作を全て無効化して、予約設定画面２１を閉じる。
【００３９】
なお、予約時間領域２１３が設定されていない場合（「００：００：００」、「−−：−−：−−」等が表示される場合）、実施ボタン２１５、ＯＦＦボタン２１６、調光ボタン２１７及び予約取消ボタン２１８が選択不可状態とされるようにしてもよい。ただし、予約時間保存用チェックボックス等にチェックが入っている場合は、前回の設定時間が表示されているため、その限りではない。これにより、ユーザは、予約設定画面２１がポップアップ表示された後に、まず時間設定ボタン２１４を選択して予約時間を設定すればよいことを把握することができ、あるいは予約時間保存用チェックボックスの活用により操作が短縮化され、操作の直感性が高まる。
【００４０】
時間表示出力部４６は、ホーム画面２０に時間アイコン２０３ａ〜２０３ｄを出力する。図示するように、予約アイコン２０１ａ〜２０１ｄ、制御名称２０２ａ〜２０２ｄ及び時間アイコン２０３ａ〜２０３ｄはそれぞれ対応する。なお、時間アイコン２０３ａ〜２０３ｄを総称して又はその一部を代表して時間アイコン２０３というものとする。時間アイコン２０３では、予約設定画面２１において設定された時間がカウントダウン表示される。このカウントダウンは、予約決定部４４によって予約設定が確定されて計時部４５のタイマの計時が開始された時点から実行される。
【００４１】
このように、時間アイコン２０３のカウントダウン表示によって、ユーザは、実際にカウントダウンがゼロになることを見届けることはなくても、予約設定が成功したことを直感的に認識することができる。また、照明制御自体が秒単位で厳密に行われる必要性は少ないが、カウントダウン表示が秒単位で行われることによって、ユーザは、予約設定の完了直後に（予約設定完了から数秒程度で）予約設定の成功をより直感的に知得することができる。
【００４２】
照明制御実行部４７は、予約時間の満了時に、予約された照明制御に対応する制御信号を生成し、この制御信号を通信部６から各照明灯８に送信し、予約された照明制御を照明灯８及び端末器に実行させる。
【００４３】
予約された照明制御の実行が終了すると、時間アイコン２０３は消去されてもよいし、カウントダウン終了を示す時間アイコン２０３が保持されてもよい。カウントダウン終了を示す時間アイコン２０３の表示は、ゼロ「００：００：００」、空白「−−：−−：−−」、メッセージ「予約実行終了」等であればよい。このように、カウントダウン終了を示す時間アイコン２０３が保持される場合、ユーザが、後に（後日等に）照明制御の実行完了を確認することができる。
【００４４】
なお、予約設定終了後のカウントダウン中であっても、予約アイコン２０１のいずれかが再度選択された場合には、上述したような予約設定動作が受け付けられる。すなわち、複数の照明制御が予約されることができ、この場合、ホーム画面２０には、予約数と同数の時間アイコン２０３が各予約時間にてカウントダウン表示される。これにより、照明制御の予約状況の一覧性が向上する。
【００４５】
また、カウントダウン中に同一の照明制御について再設定が行われた場合には、再設定される内容が前設定の内容に対して上書きされ、再設定の内容が有効となる。これにより、前設定の予約内容を取消又は消去する必要がなく、予約変更操作が容易となる。
【００４６】
ここで、図６Ａ〜図６Ｄを参照して、具体的な予約設定の手順を説明する。
スタジアムにおける野球の試合（ナイター）において、試合終了時の２時間経過後に照明灯８を全て消灯する予約設定を想定する。これは、試合終了から２時間後までに清掃等の整備作業が完了することに対応するものである。試合中において照明灯８の全灯が全灯点灯され、ユーザ（オペレータ）は試合終了時までは待機する。
【００４７】
図６Ａに、試合中のホーム画面２０を示す。ホーム画面２０において、設定管理部４０が野球用の照明配置イメージ２００を出力し、予約誘導部４１が予約アイコン２０１ａ（野球全点灯）、２０１ｂ（野球一括調光）、２０１ｃ（清掃パターン）及び２０１ｄ（野球全消灯）を出力し、制御情報出力部４２が制御名称２０２ａ〜２０２ｄを出力する。ただし、予約設定が行われていないので、時間アイコン２０３ａ〜２０３ｄは「−−：−−：−−」の表示となる。
【００４８】
試合が終了し、２１時１５分に清掃が開始されたとする。
ユーザが予約アイコン２０１ｄ（野球全消灯予約）を選択すると、予約誘導部４１が、図６Ｂに示す予約設定画面２１をポップアップ表示させる。予約設定画面２１において、制御情報出力部４２が、事前設定リスト５０（図４）を参照して、予約番号領域２１０に「予約Ｎｏ．４」を出力し、制御名称領域２１１に「野球  全消灯予約」を出力し、制御内容領域２１２に「パターン制御」を出力する。また、図６Ｂでは、実施ボタン２１５、ＯＦＦボタン２１６、調光ボタン２１７及び予約取消ボタン２１８はグレーアウトされる。
【００４９】
ユーザが時間設定ボタン２１４を選択すると、予約時間設定部４３が、時間設定用のテンキー画面（不図示）をポップアップ表示させる。そのテンキー画面において、ユーザは予約時間「０２：００：００」を入力する。ユーザ入力に応じて、予約時間設定部４３は、図６Ｃに示すように、予約時間領域２１３に「０２：００：００」を出力する。また、実施ボタン２１５が選択可能状態とされる。
【００５０】
ユーザが実施ボタン２１５を選択すると、予約決定部４４が、確認画面２２（図５）をポップアップ表示させる。確認画面２２に対してユーザが肯定、すなわち「はい」を選択すると、予約決定部４４は予約設定を確定し、計時部４５のカウントダウンタイマを起動し、確認画面２２及び予約設定画面２１を閉じる。これにより、図６Ｄに示すホーム画面２０が得られる。
【００５１】
図６Ｄに示すように、ホーム画面２０では、時間表示出力部４６が時間アイコン２０３ｄとしてカウントダウン表示を出力する。
【００５２】
そして、２１時１５分から２時間（＋予約設定操作にかかった時間）後の２３時１５分過ぎにカウントダウンタイマがゼロとなると、照明制御実行部４７が全ての照明灯８を消灯させる。この際、上述したように、時間アイコン２０３ｄには、「００：００：００」、「−−：−−：−−」の表示等、カウントダウン終了時の状態が保持されてもよい。
【００５３】
以上のように、本実施形態の照明制御装置１においては、予約誘導部４１が、選択可能な照明制御に対応付けられた予約アイコン２０１をホーム画面２０に出力し、ユーザ入力により選択された予約アイコン２０１に対応する照明制御を誘導するための予約設定画面２１を開く。予約時間設定部４３が、予約設定画面２１においてユーザ入力に基づいて予約時間を決定する。予約決定部４４が、予約設定画面２１においてユーザ入力に基づいて照明制御の予約実行を決定してカウントダウンタイマ（計時部４５）を開始させる。時間表示出力部４６が予約時間及びカウントダウンタイマに基づいてカウントダウン表示の時間アイコン２０３をホーム画面２０に出力する。そして、照明制御実行部４７が、予約時間の満了時に照明制御を照明灯８に実行させる。
【００５４】
これにより、照明制御の予約設定に際して、ユーザは、予約アイコン２０１の選択、予約時間の入力、及び予約実行の決定の操作を行うだけで予約設定を完了することができ、適宜のタイミングで柔軟かつ容易に予約設定を行うことができる。また、予約設定が完了すると、ユーザは、予約された照明制御に関するカウントダウン表示の時間アイコン２０３をホーム画面２０上で見ることができ、予約設定の完了を容易かつ直感的に把握することができる。したがって、照明制御時刻を照明管理者側で決定できない環境において、照明制御の予約設定を柔軟、容易かつ直感的な態様で行うことを可能とする照明制御装置１が実現される。
【００５５】
＜第２の実施形態＞
上記第１の実施形態では、照明制御が実行されるまでの時間が設定される構成を示したが、本実施形態では、照明制御が実行されるべき時刻が設定される構成を示す。本実施形態の照明制御装置１のブロック図は、第１の実施形態について示した図１のものと同様である。本実施形態と第１の実施形態とは予約時間設定部４３の動作が異なり、それに伴って予約決定部４４、計時部４５、時間表示出力部４６及び照明制御実行部４７の動作の一部が異なる。その他の構成は両実施形態間で実質的に同じであるので、その重複する説明を省略する。
【００５６】
予約時間設定部４３は、第１の実施形態と同様に、予約設定画面２１に、予約時間領域２１３及び時間設定ボタン２１４を出力するが、本実施形態では、予約時間領域２１３は、選択されている照明制御が実行されるべき時刻（以下、「予約時刻」又は「予約時間」という）を表示する。したがって、時間入力用テンキー画面において、ユーザにより予約時刻が入力されると、予約時間設定部４３は、時間入力用テンキー画面を閉じ、入力された予約時刻を予約時間領域２１３に出力する。
【００５７】
また、第１の実施形態と同様に、時間設定ボタン２１４及び時間入力用テンキー画面を設ける代わりに、上述した数値プルダウンの構成又は数値スクロールの構成が設けられてもよいし、予約設定画面２１の余白に時刻入力用テンキー画面が表示されるようにしてもよい。また、いずれの場合であっても、予約時刻設定前の状態においては予約時間領域２１３に現時刻又は空白（「−−：−−：−−」等）が表示される。
【００５８】
本実施形態では、計時部４５は現時刻を出力する時計機能を担う。時間表示出力部４６は、ホーム画面２０に時間アイコン２０３を出力し、時間アイコン２０３に、予約設定画面２１において設定された予約時刻から、計時部４５によって出力される現時刻を減算した残り時間をカウントダウン表示させる。
【００５９】
予約時刻設定後に、調光ボタン２１７が選択されると、予約決定部４４は、調光率設定画面（不図示）をポップアップ表示させる。調光率設定画面は、テンキー画面であってもよいし、適用可能な調光率のボタンを列挙するものであってもよい。適用可能な調光率の列挙は、例えば、「７５％」、「５０％」及び「２５％」、又は「４／６灯」及び「２／６灯」等であればよい。予約決定部４４は、ユーザ入力された調光率を、ホーム画面２０又は予約設定画面２１のいずれかの箇所に出力することが好ましい。例えば、設定された調光率が制御名称領域２１１又は制御内容領域２１２に付記されるようにしてもよいし、制御名称２０２に付記されるようにしてもよい。
【００６０】
調光率設定画面において調光率が入力されると、予約決定部４４は、例えば図７に示すような「予約時間に調光します。よろしいですか？」、「はい」（肯定）及び「いいえ」（否定）を記載した確認画面２３をポップアップ表示する（なお、「予定時間」は「予定時刻」であってもよい）。確認画面２３における質問文は、「○○時△△分に調光します。よろしいですか？」、「予約時間にＸＸ％調光します。よろしいですか？」、「○○時△△分にＸＸ％調光します。よろしいですか？」等であってもよい。また、上記第１の実施形態においては、上記質問文は、「○時間後に調光します。よろしいですか？」、「○時間後にＸＸ％調光します。よろしいですか？」等であってもよい。
【００６１】
確認画面２３において、ユーザが肯定、すなわち「はい」を選択すると、予約決定部４４は、予約設定を決定（確定）し、確認画面２３及び予約設定画面２１を閉じる（すなわち、調光制御の予約設定が完了する）。このように、調光設定の場合も、予約時間設定後に、調光ボタン２１７の選択及び確認画面２３における肯定選択のみで予約設定が完了するので、容易かつ迅速な予約設定が可能となる。なお、確認画面２３において、ユーザが否定、すなわち「いいえ」を選択すると、予約決定部４４は、調光ボタン２１７に関する操作を有効化せずに確認画面２３を閉じる。
【００６２】
あるいは、ユーザが調光率設定画面において調光率を決定すると、予約決定部４４は、予約設定を確定することなく確認画面２３を閉じ、実施ボタン２１５を選択可能状態とし、ユーザが実施ボタン２１５を選択するのを待機するようにしてもよい。この場合、最終的に実施ボタン２１５が選択されない限り、予約設定が確定及び実行されない。
【００６３】
また、第１の実施形態と同様に、予約時間領域２１３が設定されていない場合（例えば、現時刻表示又は空白である場合）、時間設定ボタン２１４が選択可能状態とされ、実施ボタン２１５、ＯＦＦボタン２１６、調光ボタン２１７及び予約取消ボタン２１８が選択不可状態とされるようにしてもよい。さらに、照明制御が調光である場合で調光率が設定されていない場合、調光ボタン２１７が選択可能状態とされ、実施ボタン２１５、ＯＦＦボタン２１６及び予約取消ボタン２１８が選択不可状態とされるようにしてもよい。これにより、ユーザは、予約設定画面２１がポップアップ表示された後に、時間設定ボタン２１４を選択して予約時間を設定し、次に調光ボタン２１７を選択して調光率を設定すればよいことを把握することができ、操作の直感性が高まる。
【００６４】
照明制御実行部４７は、予定時刻の到来時において、予約された照明制御に対応する制御信号を生成し、この制御信号を通信部６から各照明灯８に送信し、予約された照明制御を照明灯８に実行させる。
【００６５】
ここで、図８Ａ〜図８Ｇを参照して、具体的な予約設定の手順を説明する。
スタジアムにおける試合において、試合終了時から約３０分後に全ての照明灯８を５０％調光し、試合終了時から約１時間３０分後に全ての照明灯８を消灯する設定を想定する。これは、試合終了の約３０分後に選手及び観客の退場が概ね完了し、試合終了の１時間３０分後までに清掃等の整備作業が完了することに対応するものである。試合中において照明灯８の全灯が全点灯され、ユーザ（オペレータ）は試合終了時までは待機する。
【００６６】
図８Ａに、試合中のホーム画面２０を示す。ホーム画面２０において、設定管理部４０が照明配置イメージ２００を出力し、予約誘導部４１が予約アイコン２０１ａ（野球全点灯）、２０１ｂ（野球一括調光）、２０１ｃ（清掃パターン）及び２０１ｄ（野球全消灯）を出力し、制御情報出力部４２が制御名称２０２ａ〜２０２ｄを出力する。予約設定が行われていないので、時間アイコン２０３ａ〜２０３ｄは「−−：−−：−−」の表示となる。
【００６７】
２１時３０分頃に試合が終了したとする。
５０％調光の予約と消灯の予約のどちらを先に予約してもよいが、ユーザは、まず５０％調光予約から設定するものとする。ユーザが予約アイコン２０１ｂ（野球一括調光）を選択すると、予約誘導部４１が、図８Ｂに示す予約設定画面２１をポップアップ表示させる。予約設定画面２１において、制御情報出力部４２が、事前設定リスト５０（図４）を参照して、予約番号領域２１０に「予約Ｎｏ．２」を出力し、制御名称領域２１１に「野球  一括調光予約」を出力し、制御内容領域２１２に「グループ制御」を出力する。図８Ｂでは、実施ボタン２１５、ＯＦＦボタン２１６、調光ボタン２１７及び予約取消ボタン２１８はグレーアウトされる。
【００６８】
ユーザが時間設定ボタン２１４を選択すると、予約時間設定部４３が、時間設定用のテンキー画面（不図示）をポップアップ表示させる。テンキー画面において、ユーザは、予約時刻「２２：００：００」を入力する。ユーザ入力に応じて、予約時間設定部４３は、図８Ｃに示すように、予約時間領域２１３に「２２：００：００」を出力する。なお、図８Ｃの時点で、調光ボタン２１７が選択可能状態とされる。
【００６９】
ユーザが調光ボタン２１７を選択すると、予約決定部４４が、調光率設定画面（不図示）をポップアップ表示させる。調光率設定画面上でユーザが「５０％」を選択又は入力すると、予約決定部４４が確認画面２３（図７）をポップアップ表示させる。確認画面２３に対してユーザが「はい」を選択すると、予約決定部４４は予約実行を決定し、確認画面２３及び予約設定画面２１を閉じる。これにより、図８Ｄに示すホーム画面２０が得られる。
【００７０】
あるいは、調光率設定画面においてユーザが調光率を決定すると、予約決定部４４は、予約実行を確定することなく確認画面２３を閉じ、制御内容領域２１２を「５０％調光制御」等に書き換え、実施ボタン２１５を選択可能状態として、予約設定画面２１上でユーザによる実施ボタン２１５の選択を待機するようにしてもよい。そして、ユーザが実施ボタン２１５を選択したことに応じて、予約決定部４４は、確認画面２２（図５参照）をポップアップ表示させ、確認画面２２に対する肯定選択に応じて予約実行を確定し、確認画面２２及び予約設定画面２１を閉じ、これにより図８Ｄに示すホーム画面２０への移行が行われるようにしてもよい。なお、いずれの場合であっても得られるホーム画面２０は同じである。
【００７１】
図８Ｄに示すように、ホーム画面２０において、制御情報出力部４２が制御名称２０２ｂとして「野球  一括５０％調光予約」を出力し、時間表示出力部４６が時間アイコン２０３ｂとしてカウントダウン表示を出力する。このカウントダウン表示においては、予定時刻（２２：００：００）から現時刻（例えば、２１：３１：１６）を減算した残り時間（００：２８：４４）が表示される。なお、制御名称２０２ｂは、上記のように変更されなくてもよい。この場合、予約された制御内容（調光率）が予約設定画面２１のいずれかの箇所に表示されるようにしておき、予約アイコン２０１ｂの選択によってその制御内容を予約設定画面２１上で確認できるようにしてもよい。
【００７２】
次に、ユーザは消灯予約を設定する。ユーザが予約アイコン２０１ｄ（野球全消灯）を選択すると、予約誘導部４１が、図８Ｅに示す予約設定画面２１をポップアップ表示させる。予約設定画面２１において、制御情報出力部４２が、事前設定リスト５０（図４）を参照して、予約番号領域２１０に「予約Ｎｏ．４」を出力し、制御名称領域２１１に「野球  全消灯予約」を出力し、制御内容領域２１２に「パターン制御」を出力する。図８Ｅでは、実施ボタン２１５、ＯＦＦボタン２１６、調光ボタン２１７及び予約取消ボタン２１８はグレーアウトされる。
【００７３】
ユーザが時間設定ボタン２１４を選択すると、予約時間設定部４３が、時間設定用のテンキー画面をポップアップ表示させる。テンキー画面において、ユーザは、時刻「２３：００：００」を入力する。ユーザ入力に応じて、予約時間設定部４３は、図８Ｆに示すように、予約時間領域２１３に「２３：００：００」を表示する。そして、実施ボタン２１５が選択可能状態とされる。
【００７４】
ユーザが実施ボタン２１５を選択すると、予約決定部４４が確認画面２２（図５）をポップアップ表示させる。確認画面２２に対してユーザが「はい」を選択すると、予約決定部４４は、予約設定を確定し、確認画面２２及び予約設定画面２１を閉じる。これにより、図８Ｇに示すホーム画面２０が得られる。
【００７５】
図８Ｇに示すように、ホーム画面２０において、制御情報出力部４２が制御名称２０２ｄとして「野球  全消灯予約」を出力し、時間表示出力部４６が時間アイコン２０３ｄとしてカウントダウン表示を出力する。時間アイコン２０３ｂ及び２０３ｄのカウントダウン表示においては、予約時刻（２２：００：００、２３：００：００）から現時刻（例えば、２１：３１：２４）を減算した残り時間（００：２８：３６、０１：２８：３６）がそれぞれ表示される。
【００７６】
そして、時刻が２２：００：００となり、時間アイコン２０３ｂのカウントダウンがゼロとなると、照明制御実行部４７が全ての照明灯８を５０％調光で点灯させる。この際、制御名称２０２ｂの調光率表示が元に戻ってもよい（すなわち、「５０％」の部分が消去されてもよい）。時間アイコン２０３ｂにおいてはカウントダウン終了時の状態が保持される。そして、時刻が２３：００：００となり、時間アイコン２０３ｄのカウントダウンがゼロとなると、照明制御実行部４７が全ての照明灯８を消灯させる。ここでも、時間アイコン２０３ｄにおいてはカウントダウン終了時の状態が保持される。
【００７７】
以上のように、本実施形態の照明制御装置１においては、予約誘導部４１が、選択可能な照明制御に対応付けられた予約アイコン２０１をホーム画面２０に出力し、ユーザ入力により選択された予約アイコン２０１に対応する照明制御の予約を誘導するための予約設定画面２１を開く。予約時間設定部４３が、予約設定画面２１においてユーザ入力に基づいて予約時刻を決定する。予約決定部４４が、予約設定画面２１においてユーザ入力に基づいて照明制御の予約実行を決定する。時間表示出力部４６が予約時刻及び現時刻（計時部４５）に基づいてカウントダウン表示の時間アイコン２０３をホーム画面２０に出力する。そして、照明制御実行部４７が、予約時刻の到来時に照明制御を照明灯８に実行させる。本実施形態において得られる効果は、第１の実施形態と実質的に同様である。
【００７８】
＜プログラム等＞
なお、上述した各実施形態における照明制御装置１（処理部４）を実現する各構成要素は、記憶部５に記憶された照明制御装置用プログラムが動作することによって実現される。
【００７９】
また、本発明は、上記各実施形態の機能を実現するソフトウェアのプログラムが、照明制御装置１（処理部４）に直接に、又は遠隔から供給される場合も含む。したがって、本発明の機能処理を実現するために、照明制御装置１にインストールされるプログラムコード自体も本発明に含まれる。すなわち、本発明には、本発明の機能処理を実現するためのコンピュータプログラムも含まれる。そのプログラムは、コンピュータを、上記の設定管理部４０、予約誘導部４１、制御情報出力部４２、予約時間設定部４３、予約決定部４４、計時部４５、時間表示出力部４６及び照明制御実行部４７の全部又は一部として機能させることができる。このように、本発明は、上記各実施形態に示したような作用効果をソフトウェアの導入によって実現できるので、照明制御装置１の導入容易性を向上することができる。
【００８０】
上記プログラムがインターネットからダウンロードされるようにしてもよい。この場合、ブラウザ機能によってインターネットのホームページに接続された照明制御装置１に、そのホームページから上記コンピュータプログラム又は圧縮され自動インストール機能を含むファイルがハードディスク等にダウンロードされる。
【００８１】
上記プログラムを記憶したコンピュータ可読記憶媒体も本発明に含まれる。プログラムが記憶媒体によって供給される場合は、その記憶媒体は、フレキシブルディスク、ハードディスク、光ディスク、光磁気ディスク等であればよく、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ、ＤＶＤ−Ｒ）等であってもよい。
【００８２】
＜変形例＞
以上に本発明の好適な実施形態を示したが、本発明は、例えば以下に示すように種々の態様に変形可能である。
【００８３】
（１）時間アイコン２０３に関する変形
上記各実施形態においては、予定されている照明制御が実行されるまでの時間を視認可能な時間アイコンとして、カウントダウン表示からなるアイコン２０３を例示したが、視認可能な表示は他の形態のものであってもよい。例えば、ホーム画面２０において、現時刻及び予約時刻（又は予約時間の満了予定時刻）の２つのデジタル時計表示が、例えば上下に並べて表示されてもよい。あるいは、現時刻及び予約時刻（又は予約時間の満了予定時刻）を表す２つのアナログ時計表示が、例えば左右に並べて表示されてもよい。また、表示部２の表示画面がスクリーンセーバ画面となる場合に、少なくともカウントダウン表示がスクリーンセーバ画面上に表示されるようにしてもよい。
【００８４】
（２）予約時間設定部４３に関する変形
上記第１及び第２の実施形態では、それぞれ予約時間及び予約時刻が設定される構成を示したが、ユーザ選択により、予約時間の設定又は予約時刻の設定が適宜選択可能な構成としてもよい。この場合、予約時間設定部４３は、予約設定画面２１に、予約時間の設定又は予約時刻の設定のいずれかをユーザに選択させるボタンを出力する。
【符号の説明】
【００８５】
１  照明制御装置
８、８−１〜８−ｎ  照明灯
２０  ホーム画面
２１  予約設定画面
２２、２３  確認画面
４１  予約誘導部
４２  制御情報出力部
４３  予約時間設定部
４４  予約決定部
４５  計時部
４６  時間表示出力部
２０１、２０１ａ〜２０１ｄ  予約アイコン
２０２、２０２ａ〜２０２ｄ  制御名称
２０３、２０３ａ〜２０３ｄ  時間アイコン
２１５  実施ボタン（所定ボタン）
２１６  ＯＦＦボタン（所定ボタン）
２１７  調光ボタン（所定ボタン）
【図１】
0006679880.tif 000002
【図２】
0006679880.tif 000003
【図３】
0006679880.tif 000004
【図４】
0006679880.tif 000005
【図５】
0006679880.tif 000006
【図６Ａ】
0006679880.tif 000007
【図６Ｂ】
0006679880.tif 000008
【図６Ｃ】
0006679880.tif 000009
【図６Ｄ】
0006679880.tif 000010
【図７】
0006679880.tif 000011
【図８Ａ】
0006679880.tif 000012
【図８Ｂ】
0006679880.tif 000013
【図８Ｃ】
0006679880.tif 000014
【図８Ｄ】
0006679880.tif 000015
【図８Ｅ】
0006679880.tif 000016
【図８Ｆ】
0006679880.tif 000017
【図８Ｇ】
0006679880.tif 000018